(57)【要約】      （修正有）【課題】より簡単で、使用上も便利であり、実用性も高い多方位式歯科レントゲン撮影用ホルダーを提供する。【解決手段】リングフレーム及びホルダーユニットからなり、一つで従来の複数のかたのホルダーに取って代わっている。パーツの設計もシンプルで、リングフレームにリング部分があり、ホルダーユニットにホルダー部分があり、ホルダー部分は軸回転によって開口部の方位が変わり、さらに、リングフレームが軸回転して方位を変えられること、及び、リング部分がリングフレームにおいて簡単に角度が変えられることにより、リング部分の中心とホルダー部分の開口部の中心に合わせられる。【選択図】  図６
0003100710.tif 000002
【実用新案登録請求の範囲】
【請求項１】
本考案の多方位式歯科レントゲン撮影用ホルダーは、リングフレーム及びホルダーユニットからなり、
このリングフレームには軸バーがあり、この軸バー内部には、はめ込み穴が開いていて、さらに、外側の一箇所に外向きに斜めに曲がったアームが伸びていて、この曲がったアームの末端には、軸バーと平行の軸管が伸びていて、この軸管の両側にリング部分を挿入して、軸回転し、
ホルダーユニットは、リングフレームのはめ込み穴にはめ込まれて軸回転する軸があって、この軸は、先端に接続アームがあって、この接続アームの先端の近くに、ホルダー部分を挿入して軸回転させるようになっていて、
ホルダー部分が歯の方位に応じて軸回転し、リングフレームが軸回転して方位を変えられること、及び、リング部分がリングフレームにおいて簡単に角度が変えられることにより、リング部分の中心とホルダー部分の開口部の中心に合わせられるので、歯の方位に応じて、歯科診断及び根管治療時のレントゲン撮影が行なえるという特長を持つ、多方位式歯科レントゲン撮影用ホルダー。
【請求項２】
リングフレームのリング部分の、両側の先端にそれぞれ軸管に対応して緊密に差し込むことができる接続軸があって、軸管の両側にはめ込むことにより、リング部分を軸管の中に挿入して、曲がったアームの角度を固定することが可能であるという特長を持つ、請求項１に記載の多方位式歯科レントゲン撮影用ホルダー。
【請求項３】
リングフレームの軸バー内部のはめ込み穴の開口部に近い位置にくぼんだリング槽がある、請求項１に記載の多方位式歯科レントゲン撮影用ホルダー。
【請求項４】
ホルダーユニットの軸の外側に、突起したリング状の部分がある、請求項１に記載の多方位式歯科レントゲン撮影用ホルダー。
【請求項５】
ホルダーユニットの接続アームの先端の近くに差込用の穴が開いている、請求項１に記載の多方位式歯科レントゲン撮影用ホルダー。
【請求項６】
ホルダーユニットのホルダー部分に、突起したリング状の部分がある、請求項１に記載の多方位式歯科レントゲン撮影用ホルダー。
【請求項７】
ホルダーユニットのホルダー部分の、両側の相対する側面の間に窓が開いている、請求項１に記載の多方位式歯科レントゲン撮影用ホルダー。  
【請求項８】
ホルダーユニットのホルダー部分の一面に、下に向かって斜めにクリップ部分が伸びていて、ホルダーユニットの二つの側面との間に、小さな間隔の幅で、レントゲン撮影用のフィルムをここに置いて挟むようになっている、請求項１に記載の多方位式歯科レントゲン撮影用ホルダー。
【請求項９】
そのリングフレームの軸バーに、針測定用ルーラーが設けてあり、この針測定用ルーラーにはメモリがつけてある、請求項１に記載の多方位式歯科レントゲン撮影用ホルダー。
【考案の詳細な説明】
【技術分野】
【０００１】
本考案は歯科診断あるいは根管治療時のレントゲン撮影のフィルムホルダーに関する。
【背景技術】
【０００２】
一般に歯科医が患者の歯を治療する場合、ほとんどレントゲン撮影を行なって患部を診断し、治療の方法を決定する。従来、歯科医が歯のレントゲンを撮る時、フィルムを固定する、適当な補助用具がないため、医師が患部の位置を確認した後、手でフィルムを押さえて位置を固定して、撮影を行なっている。しかしながら、手でフィルムを押さえるという方法は、衛生上の問題がある上、押さえる力が均等ではないので、レントゲン写真の質も一定ではない。
また、手で押さえるという方法を改善するため、撮影用のホルダーが開発されて、使用されている。例えば、図１を参照いただきたい。現在、最もよく使用されている撮影用ホルダーは、固定フレーム１’の先端にレントゲン撮影の際に焦点を合わせるリング１１’が固定してある。後部は延長してホルダー板１２’になっている。このホルダー板１２’の一側面には、フィルムを挟むための弾力のあるクリップ部分１３’がある。この固定フレーム１’は、歯がかみ合う位置に弾力のある保護ゴム１４’が取り付けてあり、歯をかみ合わせて、撮影をする際の不快感を和らげている。
この従来の固定式撮影ホルダーは、歯の前部、左側及び右側の三つの方位によって、三組の固定式ホルダーを使用して撮影を行なう（図１を参照いただきたい）。各組の撮影用ホルダーの固定フレーム１’は、設置する位置によって設計が異なる。さらに、口の形による自然なかみ合わせに影響しないように、外観の形態も変化させる。例えば、前部の歯に固定する固定フレーム１’は、直線の形態をしている。歯の両側に設置する固定フレーム１’は、それぞれ、その方位によって外側に曲がっている。そして、上の歯に固定する時は、それらを反転させて固定する。つまり、下の右側に使用するホルダーは、直接反転させて上の左側に使用し、下の左側に使用するホルダーは、直接反転させて上の右側に使用するのである。そして、下の前歯に使用するホルダーは、直接反転させて上の前歯に使用する。したがって、固定式のホルダーは三組の異なった固定フレーム１’の固定式ホルダーが必要になる。さらに、撮影の際はホルダーの方位を確認する必要があるため、時間と手間がかかることになる。そして、複数のホルダーの型が必要であるということは、コストも高くなるので経済的だとはいえない。
また、歯科医が患者の根管治療を行なう際、その患部に針を刺してレントゲン撮影を行なって、正確な根管の長さを判断して治療を進める。しかしながら、従来の固定式ホルダーの設置方式では、根管治療に適さない。なぜなら、刺し込みだ針がかみ合わせの上に来て、その固定式のホルダーに取り付けられた保護ゴム１４’が刺した針の邪魔をするからである。
ホルダーが根管治療にも使えるように、図２のような分解可能なホルダーが開発された。それは分解可能なメインバー３’、ホルダーユニット４’及びリング５’からなる。そのメインバー３’の一端には方向性のある差し込み式の固定溝３１’がある。メインバー３’には固定バー３２’が伸びている。そして、ホルダーユニット４’の向かい合った二つの側面フレーム４１’にはそれぞれ方向性のある差し込むための突起４２’がある。そして、メインバー３’の固定溝３１’に突き合わさって接続されることにより、メインバー３’はホルダーユニット４’の左側あるいは右側に連結して組み立てられる。また、そのホルダーユニット４’の壁側には、挟んで固定するクリップ部分４３’がある。そして、リング５’の一面には中が空洞の軸５１’がメインバー３’にはめ込まれている。さらに、空洞軸５１’内にははめ込み槽５２’があって、メインバー３’の固定バー３２’に対応するようになっている。リング５’はメインバー３’に取り付けられ、一方向に固定されて動くことはない。
図３、図４を参照いただきたい。分解可能なホルダーの実際の使用法は以下の通りである。歯の両側のレントゲンを撮る時は、メインバー３’、ホルダーユーザー４’、及び、リング５’を組み立てる。さらに、メインバー３’をホルダーユーザー４’に取り付ける際はその方位を確認する必要がある。つまり、メインバー３’をホルダーユニット４の左側あるいは右側に取り付けるのである。また、リング５’の軸５１’をメインバー３’の上に取り付け、リング５’の中心はホルダーユニット４’の中心に焦点を合わせて、歯の左側あるいは右側に固定して、レントゲン撮影を行なうのである。図５を参照いただきたい。前の歯のレントゲン撮影をする際は、直接メインバー３’ホルダーユニット４’及びリング５’を組み立てて行なう。そして、根管治療の際のレントゲン撮影は、ホルダーユニット４’に縦向きに中間が開いていることにより、歯をかみ合わせた時に、刺した針２’がここに固定されて邪魔になることがない。同様に、組み立て方式はホルダーユニット４’を反転して上の歯に取り付けると、上の前歯、左側、右側のレントゲン撮影ができる。したがって、分解可能な撮影ホルダーは歯科診断あるいは根管治療を行なうことができるが、そのパーツの組み立て設計はやや複雑である。組み立ての時も方位性を考えて組み立てる必要があり、操作上、時間がかかり不便である。
【考案の開示】
【考案が解決しようとする課題】
【０００３】
従来のホルダーに比べ、より簡単で、使用上も便利であり、実用性も高い多方位式歯科レントゲン撮影用ホルダーを提供することを課題とする。
【課題を解決するための手段】
【０００４】
本考案の多方位式歯科レントゲン撮影用ホルダーは、リングフレーム及びホルダーユニットからなる。その構成は、一つで従来の複数のかたのホルダーに取って代わっている。パーツの設計もシンプルで、リングフレームにリング部分があり、ホルダーユニットにホルダー部分があり、ホルダー部分は軸回転によって開口部の方位が変わり、さらに、リングフレームが軸回転して方位を変えられること、及び、リング部分がリングフレームにおいて簡単に角度が変えられることにより、リング部分の中心とホルダー部分の開口部の中心に合わせられるので、歯の方位に応じて、歯科のレントゲン診断（dental x-ray diagnosis）及び、根管治療（endodontic treatment）時のレントゲン撮影が行なえる。さらに、ホルダーの方向性を確認して操作するのも極めて簡単である。
【考案の効果】
【０００５】
本考案の多方位式歯科レントゲン撮影用ホルダーは、リングフレーム及びホルダーユニットからなる。その構成は、一つで従来の複数のかたのホルダーに取って代わっている。パーツの設計もシンプルで、リングフレームにリング部分があり、ホルダーユニットにホルダー部分があり、ホルダー部分は軸回転によって開口部の方位が変わり、さらに、リングフレームが軸回転して方位を変えられること、及び、リング部分がリングフレームにおいて簡単に角度が変えられることにより、リング部分の中心とホルダー部分の開口部の中心に合わせられるので、歯の方位に応じて、歯科診療及び根管治療時のレントゲン撮影が行なえる。さらに、ホルダーの方向性を確認して操作するのも極めて簡単である。したがって、従来のホルダーに比べ、より、簡単で、使用上も便利であり、実用性も高いという特長を持つ。
また、本考案の多方位式歯科レントゲン撮影用ホルダーは、そのリングフレームの軸バーに、針測定用ルーラーが設けてある。そして、この針測定用ルーラーにはメモリがつけてあるので、歯科医が根管治療で使用する針がその長さを確認できるという特長を持つ。
【考案を実施するための最良の形態】
【０００６】
図６、図７を参照いただきたい。本考案の多方位式歯科レントゲン撮影用ホルダーは、リングフレーム１及びホルダーユニット２からなる。
このリングフレーム１は軸バー１１及びリング部分１２からなり、この軸バー１１内部の一側面には、はめ込み穴１１１が開いている。さらに、はめ込み穴１１１の開口部に近い位置にくぼんだリング槽１１２がある。そして、この軸バー１１の外側の一箇所に外向きに斜めに曲がったアーム１１３が伸びている。この曲がったアーム１１３の末端には、軸バー１１と平行の軸管１１４が伸びている。そして、このリング部分１２はその両側の先端にそれぞれ軸管１１４に対応して緊密に差し込むことができる接続軸１２１があって、軸管１１４の両側にはめ込むことにより、リング部分１２を軸管１１４の中に挿入して、曲がったアーム１１３が１８０度軸回転し、角度を固定することが可能である
【０００７】
ホルダーユニット２は、軸２１及びホルダー部分２２からなる。この軸２１はリングフレーム１のはめ込み穴１１１にはめ込まれて軸回転する。さらに、軸２１には、リング槽１１２に対応する位置に突起したリング状の部分２１１があって、リングフレーム１のリング槽１１２を固定するようになっている。そして、軸２１をはめ込み穴１１１の中にはめ込んで、外に脱落しないようにして、常に軸回転ができる状態を保つ。また、この軸２１は、先端に接続アーム２１２があって、この接続アーム２１２の先端の近くに差込用の穴２１３が開いていて、ホルダー部分２２を挿入して軸回転させるようになっている。そして、このホルダー部分２２はП型のフレーム体で、接続面２２１には突起２２２がある、そして、その接続面２２１の一面は下に向かって斜めにクリップ部分２２３が伸びている。このクリップ部分２２３はフレーム体両側の相対する側面２２４間の小さな間隔の幅で、レントゲン撮影用のフィルムをここに置いて挟むようになっている。また、この二つの側面２２４の間は窓２２５が開いている。
【０００８】
本考案の実施例は以下の通りである。図８を参照いただきたい。下の歯の右側をレントゲン撮影する場合、ホルダー部分２２が軸回転するのを利用して、クリップ部分２２３、歯の右内側に固定してフィルムを挟む。そして、ホルダー部分２２の二つの側面２２４を歯の上方に固定し、外に向かって伸びたリングフレーム１の軸回転を利用して、リング部分１２を動かし、リング部分１２のリング中心とホルダー部分２２の中心を焦点を合わせて、レントゲン撮影を行なう。図９を参照いただきたい。上の歯の左側をレントゲン撮影を行なう場合は、図８のホルダーの位置を回転させて位置を変えて、上の歯の左側にホルダー部分２２を設置して、レントゲン撮影を行なう。図１０を参照いただきたい。下の前歯のレントゲン撮影を行なう場合も、図８に示したホルダーのでそのまま下の前歯に設置する。ホルダー部分２２及びリング部分１２の位置を変更する必要はない。さらに、図１１を参照いただきたい。上の前歯のレントゲン撮影を行なう場合は、図１０のホルダーを回転させ、位置を変え、ホルダー部分２２を上の前歯に設置して、レントゲン撮影を行なう。
【０００９】
さらに、図１２を参照いただきたい。下の歯の左側をレントゲン撮影する場合は、ホルダー部分２２が１８０度回転するのを利用して、そのクリップ部分２２３を歯の左内側に設置してフィルムを挟む。そして、ホルダー部分２２の両側の側面２２４歯の上に置いて、外側に伸びたリングフレーム１を反対方向に回転させて、リング部分１２歯の右側に来るようにして、リング部分１２を軸回転させて、リング部分１２の中心とホルダー部分２２の中心を合わせて、焦点を合わせてレントゲン撮影をする。また、図１３を参照いただきたい。上の歯の右側をレントゲン撮影する場合は、図１２のホルダーの位置を回転させて、ホルダー部分２２を上の歯の右側に設置して、レントゲン撮影を行なう。
【００１０】
上述の操作方式により、ホルダー部分２２が軸回転して、開口部の方位が変更することにより、さらに、リングフレーム１の軸回転と、リング部分１２が簡単に角度を形成することを利用して、そのリング部分１２の中心とホルダー部分２２の開口部中心を合わせることができ、歯の各部位にでもホルダーを設定して、歯科のレントゲン撮影を行なうことが可能である。
【００１１】
また、本考案のホルダーを根管治療に使用する場合は、図１０に示したように、そのホルダー部分２２の開口部の空間を利用し、根管治療で使用する針３が邪魔にならないようにし、ホルダー部分２２の二つの側面２２４を歯の上に設置して、スムーズに根管治療が行なえる。また、ホルダー部分２２の二つの側面２２４の間に形成した空間である窓２２５があることで、針３の刺し位置を見る事ができる。
【００１２】
また、従来の根管治療で使用する針３は、その測量時に別に器具を使用して行なった。このコストを節約するべく、本考案では、リングフレーム１の軸バー１１に、針測定用ルーラー１１５が設けてある。図１４を参照いただきたい。この針測定用ルーラー１１５にはメモリがつけてあるので、その針測定用ルーラー１１５のメモリによって、歯科医が根管治療で使用する針３がその長さを確認できるようになっている。したがって、針３の測定が楽にできるため、従来の針測定用の器具に取って代わり、器具のコスト節約にもなる。
【００１３】
本考案の多方位式歯科レントゲン撮影用ホルダーは、一つで従来の複数の型のホルダーに取って代わる設計をしている。パーツの設計もシンプルで、リングフレーム１にリング部分１２があり、ホルダーユニット２にホルダー部分２２があり、ホルダー部分２２は軸回転によって開口部の方位が変わり、さらに、リングフレーム１が軸回転して方位を変えられること、及び、リング部分１２がリングフレーム１において簡単に角度が変えられることにより、リング部分１２の中心とホルダー部分２２の開口部の中心に合わせられるので、歯の方位に応じて、歯科診療及び根管治療時のレントゲン撮影が行なえる。さらに、ホルダーの方向性を確認して操作するのも極めて簡単である。したがって、従来のホルダーに比べ、より、簡単で、使用上も便利であり、実用性も高い。
【図面の簡単な説明】
【００１４】
【図１】従来の三種類の異なった固定式のレントゲン撮影用ホルダーを、歯の上に設置してレントゲン撮影を行なう様子を示した実施例図である。
【図２】従来の分解可能なレントゲン撮影用ホルダーのパーツを図示した分解図である。
【図３】従来の分解可能なレントゲン撮影用ホルダーの、下の左側の歯のレントゲン撮影の実施例図である。
【図４】従来の分解可能なレントゲン撮影用ホルダーの、下の右側の歯のレントゲン撮影の実施例図である。
【図５】従来の分解可能なレントゲン撮影用ホルダーの、下の前歯のレントゲン撮影の実施例図である。
【図６】本考案の多方位式歯科レントゲン撮影用ホルダーの、外観見取り図である。
【図７】本考案の多方位式歯科レントゲン撮影用ホルダーの、パーツを図示した分解図である。
【図８】本考案の多方位式歯科レントゲン撮影用ホルダーの、下の右側の歯のレントゲン撮影の実施例図である。
【図９】本考案の多方位式歯科レントゲン撮影用ホルダーの、上の左側の歯のレントゲン撮影の実施例図である。
【図１０】本考案の多方位式歯科レントゲン撮影用ホルダーの、下の前歯のレントゲン撮影の実施例図である。
【図１１】本考案の多方位式歯科レントゲン撮影用ホルダーの、上の前歯のレントゲン撮影の実施例図である。
【図１２】本考案の多方位式歯科レントゲン撮影用ホルダーの、下の左側の歯のレントゲン撮影の実施例図である。
【図１３】本考案の多方位式歯科レントゲン撮影用ホルダーの、上の右側の歯のレントゲン撮影の実施例図である。
【図１４】本考案の多方位式歯科レントゲン撮影用ホルダーの、挿入針測定の実施例図である。
【符号の説明】
【００１５】
１          リングフレーム          １１          軸バー
１１１      はめ込み穴              １１２        リング槽
１１３      曲がったアーム          １１４        軸管
１１５      針測定用ルーラー        １２          リング部分
１２１      接続軸                  ２            ホルダーユニット
２１        軸                      ２１１        突起したリング状の部分
２１２      接続アーム              ２１３        差込用の穴
２２        ホルダー部分            ２２１        接続面
２２２      突起                    ２２３        クリップ部分
２２４      側面                    ２２５        窓
３          針
１’      固定フレーム              １１’      リング
１２’    ホルダー板                １３’      クリップ部分
１４’    保護ゴム                  ２’        針
３’      メインバー                ３１’      固定溝
３２’    固定バー                  ４’        ホルダーユニット
４１’    側面フレーム              ４２’      突起
４３’    クリップ部分              ５’      リング部分
５１’    軸                        ５２’    はめ込み槽
【図１】
0003100710.tif 000003
【図２】
0003100710.tif 000004
【図３】
0003100710.tif 000005
【図４】
0003100710.tif 000006
【図５】
0003100710.tif 000007
【図６】
0003100710.tif 000008
【図７】
0003100710.tif 000009
【図８】
0003100710.tif 000010
【図９】
0003100710.tif 000011
【図１０】
0003100710.tif 000012
【図１１】
0003100710.tif 000013
【図１２】
0003100710.tif 000014
【図１３】
0003100710.tif 000015
【図１４】
0003100710.tif 000016